(57)【要約】【課題】圧力弁を蓋体内に設置し、この圧力弁の外部から弁室内に挿通する移動部材の挿通口を前記弁室に形成し、この挿通口の口縁に圧入する係合凹部をリング部の外周面に設けたパッキンで前記挿通口を閉塞し、このパッキンを介して前記移動部材が弁体を操作する加熱容器の圧力調整装置において、清掃時に指で前記パッキンが外側に強く押されても、パッキンが外れることのない加熱容器の圧力調整装置を提供する。【解決手段】圧力弁２を蓋体１内に設置し、この圧力弁２の外部から弁室３内に挿通する移動部材４の挿通口５を前記弁室３に形成し、この挿通口５の口縁６に圧入する係合凹部７をリング部８の外周面に設けたパッキン９で前記挿通口５を閉塞し、このパッキン９を介して前記移動部材４が弁体１０を操作する加熱容器の圧力調整装置において、前記リング部８を前記弁室３の外側より前記口縁６に向けて押圧する抜止め部材１１を備えた構成とした。【選択図】図１
2006020962.tif 000002
【特許請求の範囲】
【請求項１】
圧力弁を蓋体内に設置し、この圧力弁の外部から弁室内に挿通する移動部材の挿通口を前記弁室に形成し、この挿通口の口縁に圧入する係合凹部をリング部の外周面に設けたパッキンで前記挿通口を閉塞し、このパッキンを介して前記移動部材が弁体を操作する加熱容器の圧力調整装置において、前記リング部を前記弁室の外側より前記口縁に向けて押圧する抜止め部材を備えたことを特徴とする加熱容器の圧力調整装置。
【請求項２】
前記抜止め部材を、前記リング部の内周面と、前記リング部の外側面とを押圧するように設けたことを特徴とする請求項１に記載の加熱容器の圧力調整装置。
【請求項３】
前記抜止め部材が、前記リング部の外側面を押圧する第１部材と、前記リング部の内周面を押圧する第２部材とからなることを特徴とする請求項１に記載の加熱容器の圧力調整装置。
【請求項４】
金属製の前記抜止め部材に、前記リング部の内周面を押圧する環状壁部を設け、この環状壁部の内端で外側へ折り返すことにより、前記環状壁部の内周面と重なる補強部を設けたことを特徴とする請求項２に記載の加熱容器の圧力調整装置。
【請求項５】
前記抜止め部材に、押圧方向の曲げ剛性を高めるリブを設けたことを特徴とする請求項１から４のいずれかに記載の加熱容器の圧力調整装置。
【請求項６】
前記抜止め部材を、前記蓋体に形成した凹凸部分で位置決めし、前記蓋体に螺子止めしたことを特徴とする請求項１から５のいずれかに記載の加熱容器の圧力調整装置。
【請求項７】
蓋体内面に外周面を有する膨出部を設け、前記抜止め部材に前記膨出部の外周面と嵌合する取付け部を設けたことを特徴とする請求項１から６のいずれかに記載の加熱容器の圧力調整装置。
【発明の詳細な説明】
【技術分野】
【０００１】
この発明は、圧力式炊飯器の蓋体内に設置する圧力調整装置など、加熱容器の圧力調整装置に関する。
【背景技術】
【０００２】
この種の加熱容器の圧力調整装置としては、蓋体内に圧力弁とソレノイドとを配し、前記圧力弁の弁室内に挿通するプランジャーの挿通口を前記弁室に形成し、前記挿通口を、その口縁に圧入する係合凹部をリング部外周に形成したパッキンで閉塞し、このパッキンを介して前記プランジャーが前記圧力弁の弁体を操作する圧力式炊飯器用のものがある（特許文献１）。
【０００３】
【特許文献１】特開２０００−９３２９４号公報（図２参照）
【発明の開示】
【発明が解決しようとする課題】
【０００４】
しかしながら、稀ではあるが、使用者の中には、弁室内に付着したおねば等を丁寧に清掃しようとするあまり、指で前記パッキンを外側に強く押してしまうことがある。この際、特許文献１に記載のものは、前記パッキンのリング部が変形して口縁から外れてしまい、気密が破れて装置の作動不良を起し得るという問題があった。
【０００５】
そこで、この発明の課題は、圧力弁を蓋体内に設置し、この圧力弁の外部から弁室内に挿通する移動部材の挿通口を前記弁室に形成し、この挿通口の口縁に圧入する係合凹部をリング部の外周面に設けたパッキンで前記挿通口を閉塞し、このパッキンを介して前記移動部材が弁体を操作する加熱容器の圧力調整装置において、清掃時に指で前記パッキンが外側に強く押されても、パッキンが外れることのない加熱容器の圧力調整装置を提供することにある。
【課題を解決するための手段】
【０００６】
上記の課題を解決するため、この発明は、圧力弁を蓋体内に設置し、この圧力弁の外部から弁室内に挿通する移動部材の挿通口を前記弁室に形成し、前記挿通口を、その口縁に圧入する係合凹部をリング部の外周面に形成したパッキンで閉塞し、このパッキンを介して前記移動部材が弁体を操作する加熱容器の圧力調整装置において、前記リング部を前記弁室の外側より前記口縁に向けて押圧する抜止め部材を備えた構成とした。
【０００７】
上記構成によれば、清掃時に前記弁室の内側から前記パッキンが押圧された場合でも、前記抜止め部材が前記リング部を前記弁室の外側より前記口縁に向けて押圧しているので、前記リング部が前記口縁より外側に脱落することが防止される。
【０００８】
具体的には、前記抜止め部材を、前記リング部の内周面と、前記リング部の外側面とを押圧するように設けた構成にすることができる。この構成によれば、前記リング部が外側と内周面側から前記口縁に向けて押圧されるので、前記リング部の脱落がより確実に防止される。
【０００９】
また、上記構成においては、前記抜止め部材を、前記リング部の外側面を押圧する第１部材と、前記リング部の内周面を押圧する第２部材とから構成することもできる。この構成によっても、前記リング部が外側と内周面側から前記口縁に向けて押圧される。
【００１０】
また、上記構成において、前記抜止め部材により前記リング部の内周面を押圧する場合、金属製の前記抜止め部材に前記リング部の内周面を押圧する環状壁部を設け、この環状壁部の内端で外側へ折り返すことにより、前記環状壁部の内周面と重なる補強部を設けた構成とすれば、前記抜止め部材の押圧方向の曲げ剛性が高まるので、前記パッキンが押圧された際、前記抜止め部材が変形し難くなり、前記リング部の脱落がより確実に防止される。
【００１１】
また、上記構成において、前記抜止め部材に押圧方向の曲げ剛性を高めるリブを設けた構成とすれば、前記パッキンが押圧された際、前記抜止め部材の変形が防止される。
【００１２】
また、上記構成において、前記抜止め部材を、前記蓋体に形成した凹凸部分で位置決めし、前記蓋体に螺子止めした構成とすれば、前記抜止め部材がしっかりと前記蓋体に対して固定されるので、前記抜止め部材がずれ動いて前記パッキンが脱落することが防止される。
【００１３】
また、上記構成において、蓋体内面に外周面を有する膨出部を設け、前記抜止め部材に前記膨出部の外周面と嵌合する取付け部を設けた構成とすれば、前記パッキンが押圧された際、前記取付け部が前記膨出部の外周面に規制され、前記抜止め部材がずれ動くことが防止されるので、螺子を用いることなく前記抜止め部材を固定することができる。
【発明の効果】
【００１４】
上述のように、この発明によれば、圧力弁を蓋体内に設置し、この圧力弁の外部から弁室内に挿通する移動部材の挿通口を前記弁室に形成し、この挿通口の口縁に圧入する係合凹部をリング部の外周面に設けたパッキンで前記挿通口を閉塞し、このパッキンを介して前記移動部材が弁体を操作する加熱容器の圧力調整装置において、清掃時に指で前記パッキンが外側に強く押されても、パッキンが外れることのない加熱容器の圧力調整装置を提供することができる。
【発明を実施するための最良の形態】
【００１５】
以下、この発明の第１実施形態に係る加熱容器の圧力調整装置を図面に基づいて説明する。図１、図２に縦断側面を示した加熱容器の圧力調整装置は、圧力式炊飯器の蓋体１内に圧力弁２を設置し、この圧力弁２の外部から弁室３内に挿通する移動部材４の挿通口５を弁室３に形成し、挿通口５を、その口縁６に圧入する係合凹部７をリング部８の外周面に形成したパッキン９で閉塞し、このパッキン９を介して移動部材４が弁体１０を操作するように構成され、係合凹部７を弁室３の外側より口縁６に向けて押圧する抜止め部材１１を備えたものである。
【００１６】
図３に示すように、蓋体１は、樹脂製の上蓋部材１２と下蓋部材１３とを上下に嵌合した構造を有し、上蓋部材１２と下蓋部材１３との間に空間に、ソレノイド１４や圧力センサ１５などを設置したものである。螺子止め箇所を削減するため、ソレノイド１４や圧力センサ１５には、上蓋部材１２の下面に形成された先細りの突起部１６に対応する受け口部１７が形成されている。上蓋部材１２と下蓋部材１３とを嵌合した状態で、突起部１６は受け口部１７に刺さり、ソレノイド１４や圧力センサ１５は下蓋部材１３の上面に押圧される。
【００１７】
図１、図２に示すように、圧力弁２は、蓋体１の下面に着脱自在に取付けられた内蓋１８の開口１８ａに装着されている。具体的に述べると、圧力弁２は、内蓋１８の開口１８ａに装着された弁座部材１９と、この弁座部材１９の弁孔１９ａを自重により閉塞する弁体１０と、弁座部材１９の上端外周で弁体１０を規制するリングパッキン２０と、弁室３とから構成されている。
【００１８】
弁室３は、弁座部材１９と弁体１０を覆うように弁座部材１９に被せられた弁室部材２１と、この弁室部材２１を間隙をもって覆う弁室カバー部２２とから構成されている。弁室カバー部２２は、下蓋部材１３の上面を概ねドーム状に膨出させて形成されている。
【００１９】
弁室３には、弁室部材２１と弁室カバー部２２にソレノイド１４と対面する連通口を開口することにより、挿通口５が形成されている。挿通口５は、弁室カバー部２２側において円孔状に形成されており、パッキン９で閉塞されている。挿通口５には、パッキン９を介してソレノイド１４のプランジャーからなる移動部材４が挿通される。
【００２０】
上記構成において、圧力弁２は、内蓋１８を蓋体１から取り外すと、弁室カバー部２２を除いて蓋体１内から抜き取られ、内蓋１８を蓋体１に取付けると蓋体１内に設置される。内蓋１８を蓋体１から取り外した状態では、弁室カバー部２２の内面と、パッキン９が露出され、弁室カバー部２２内を清掃することができる。
【００２１】
移動部材４は、ソレノイド１４がＯＮの状態で、弁体１０と離間し、弁室部材２１と弁室カバー部２２との間に介在する。一方、ソレノイド１４がＯＦＦの状態で、移動部材４は、弁室部材２１内に進出し、弁体１０を弁孔１９ａ上から移動させて開弁する。
【００２２】
パッキン９は、弁室３の気密を保てるように、挿通口５の口縁６に圧入する係合凹部７をリング部８の外周面に形成されたものである。リング部８は、口縁６に対し圧縮代をもって嵌合される。リング部８の外周面には、周方向の凹溝からなる係合凹部７が口縁６と嵌合するように形成され、リング部８の内端側には、移動部材４の差し込み部２３が連設されている。
【００２３】
リング部８は、抜止め部材１１で弁室３の外側より口縁６に向けて押圧されている。抜止め部材１１は、弁室３とソレノイド１４との間において下蓋部材１３の上面に形成された位置決め部２４に装着されている。
【００２４】
図４、図５に示すように、位置決め部２４は、ソレノイド１４および挿通口５よりも低くした凹入部に設けられている。凹入部の両側壁面には、突部２５が形成され、凹入部の底面には、対向配置で内外方向に凸状の平行リブ部２６が形成されている。
【００２５】
抜止め部材１１は、金属板の折り曲げ体からなり、挿通口５に対応する開口が形成された平板部２７と、この平板部２７の上端より内側に向けて水平に連設された螺子挿通部２８と、平板部２７の下端より外側に向けて水平に連設された底板部２９と、平板部２７の両側に弁室３側に向けて連設されたリブ３０とからなる。
【００２６】
螺子挿通部２８は、抜止め部材１１の装着状態において、弁室３の口縁６上に形成された円柱状の螺子孔部３１の上端面と当接するように設けられている（図２参照）。一方、底板部２９は、抜止め部材１１の装着状態において、両側辺が突部２５に当り、外側辺が平行リブ部２６に圧接するように設けられている（図２参照）。底板部２９を突部２５と平行リブ部２６とにより位置決めし、螺子挿通部２８を介して螺子孔部３１に螺子止めすると、抜止め部材１１の装着が完了する。
【００２７】
平板部２７は、抜止め部材１１の装着状態において、リング部８の外側面３２を押圧するように設けられている。ここで、抜止め部材１１は、全体の剛性に応じてパッキン９に対し５％から３０％の圧縮代を持って取付けることが好ましい。これにより、リング部８が弁室３内から押されても、平板部２７が押し返すので、リング部８が口縁６より外側に脱落することが防止される。なお、抜止め部材１１の素材には、亜鉛メッキ冷延原板などの金属板の他、十分な剛性を得られる樹脂を用いることもできる。
【００２８】
リブ３０は、抜止め部材１１の装着状態において、位置決め部２４の両側壁面と当接するように設けられている。このようにリブ３０を設けると、抜止め部材１１の押圧方向の曲げ剛性が高められ、さらに、抜止め部材１１が弁室３に対して傾くことが防止される。
【００２９】
無論、この発明では、抜止め部材を他の形態にすることもできる。その一例として、この発明の第２実施形態に係る加熱容器の圧力調整装置を図６に基づいて説明する。なお、この段落においては、上記第１実施形態との相違点のみを説明する。図６に示すように、抜止め部材４１は、平板部４２に形成された開口部の口縁を係合凹部７の下方まで内側へ屈曲させることにより、環状壁部４３を設けたものである。環状壁部４３は、リング部８の内周面４４に圧入され、この圧入状態で内周面４４を口縁６に向けて押圧するように形成されている。なお、リング部８の外側面３２と内周面４４とを、抜止め部材４１と密着するように屈曲面で連ねると、抜止め部材４１によるリング部８の押圧が確実になる。
【００３０】
第２実施形態の変形例として、この発明の第３実施形態に係る加熱容器の圧力調整装置を図７に基づいて説明する。なお、この段落においては、上記第２実施形態との相違点のみを説明する。図７に示すように、抜止め部材５１は、平板部５２に環状壁部５３を形成すると共に、環状壁部５３の内周面と重なる補強部５４を設けたものである。補強部５４は、環状壁部５３の内端で外側へ折り返すことにより形成されている。
【００３１】
また、この発明では、抜止め部材を複数の部材から構成することもできる。その一例として、この発明の第４実施形態に係る加熱容器の圧力調整装置を図８に基づいて説明する。なお、この段落においては、上記第１実施形態との相違点のみを説明する。図８に示すように、抜止め部材６１は、リング部８の外側面３２を押圧する第１部材６２と、リング部８の内周面４４を押圧する第２部材６３とからなる。第１部材６２は、抜止め部材１１と同一のものである。第２部材６３は、リング部８の外側面３２に当接される鍔部６４と、リング部８の内周面４４に圧入される環状壁部６５とを形成したものである。抜止め部材６１は、第２部材６３をリング部８の内周面４４に圧入し、第１部材６２で第２部材６３をリング部８の外側面３２に押さえ付けるように装着される。
【００３２】
また、この発明では、螺子を用いることなく抜止め部材を固定するように構成することもできる。その一例として、この発明の第５実施形態に係る加熱容器の圧力調整装置を図９（ａ）〜（ｃ）に基づいて説明する。なお、この段落においては、上記第１実施形態との相違点のみを説明する。図９（ａ）〜（ｃ）に示すように、抜止め部材７１は、リング部８の外側面３２を押圧する平板状の立板部７２と、位置決め部２４に位置決めされる底板部７３と、弁室３（弁室カバー部２２）の外周面に嵌合する取付け部７４とを設けたものである。取付け部７４は、弁室３の外周面に移動部材４の移動軸と同軸となるように強制嵌合される。抜止め部材７１は、取付け部７４が弁室３の外周面により内外方向が規制されるので、パッキン９が押圧された際にずれ動くことがない。
【図面の簡単な説明】
【００３３】
【図１】第１実施形態に係る加熱容器の圧力調整装置の縦断側面図。
【図２】同上の拡大縦断側面図。
【図３】同上の蓋体部分の分解斜視図。
【図４】同上の拡大斜視図。
【図５】同上の分解斜視図。
【図６】第２実施形態に係る加熱容器の圧力調整装置の部分拡大縦断側面図    。
【図７】第３実施形態に係る加熱容器の圧力調整装置の部分拡大縦断側面図    。
【図８】第４実施形態に係る加熱容器の圧力調整装置の部分拡大縦断側面図    。
【図９】（ａ）第５実施形態に係る加熱容器の圧力調整装置の部分拡大縦断側面図。          （ｂ）図９（ａ）の抜止め部材の全体斜視図。          （ｃ）図９（ａ）の上面図。
【符号の説明】
【００３４】
１  蓋体
２  圧力弁
３  弁室
４  移動部材
５  挿通口
６  口縁
７  係合凹部
８  リング部
９  パッキン
１０  弁体
１１、４１、５１、６１、７１  抜止め部材
１２  上蓋部材
１３  下蓋部材
１４  ソレノイド
１５  圧力センサ
１６  突起部
１７  受け口部
１８  内蓋
１８ａ  開口
１９  弁座部材
１９ａ  弁孔
２０  リングパッキン
２１  弁室部材
２２  弁室カバー部
２３  差し込み部
２４  位置決め部
２５  突部
２６  平行リブ部
２７、４２、５２  平板部
２８  螺子挿通部
２９、７３  底板部
３０  リブ
３１  螺子孔部
３２  外側面
４３、５３、６５  環状壁部
４４  内周面
５４  補強部
６２  第１部材
６３  第２部材
６４  鍔部
７２  立板部
７４  取付け部
【図１】
2006020962.tif 000003
【図２】
2006020962.tif 000004
【図３】
2006020962.tif 000005
【図４】
2006020962.tif 000006
【図５】
2006020962.tif 000007
【図６】
2006020962.tif 000008
【図７】
2006020962.tif 000009
【図８】
2006020962.tif 000010
【図９】
2006020962.tif 000011